(57)【特許請求の範囲】
【請求項１】
UMTSからLTEへのハンドオーバー方法であって、
SGSNがTarget  eNB  IDを認識することができない時に、将前記Target  eNB  IDをCorresponding  RNC  IDに変換し;及び
前記SGSNに再配置要求メッセージを送信し、前記再配置要求メッセージは、前記Corresponding  RNC  IDを携帯する、ことを含み、
前記Target  eNB  IDをCorresponding  RNC  IDに変換することは、
前記Target  eNB  IDに含まれる第一PLMN  ID及び第二PLMN  IDのうちの一つを選択し；及び
選択した前記PLMN  ID、前記Target  eNB  IDに含まれるeNB  ID、及び、前記Target  eNB  IDに含まれるSelected  TAI中のTACを前記Corresponding  RNC  IDに充填することを含む、方法。
【請求項２】
請求項1に記載の方法であって、
前記第一PLMN  IDは、前記Target  eNB  IDの前の３個のバイトに対応し、前記第二PLMN  IDは、前記Selected  TAI中のPLMN  IDであり、
前記Target  eNB  IDに含まれる第一PLMN  ID及び第二PLMN  IDのうちの一つを選択することは、さらに、
前記第一PLMN  ID及び前記第二PLMN  IDが同じである時に、前記第一PLMN  ID又は前記第二PLMN  IDを、選択した前記PLMN  IDとして選択し;及び
前記第一PLMN  ID及び前記第二PLMN  IDが異なる時に、前記第二PLMN  IDを、選択した前記PLMN  IDとして選択することを含む、方法。
【請求項３】
請求項１又は２に記載の方法であって、
選択した前記PLMN  ID、前記Target  eNB  IDに含まれるeNB  ID、及び、前記Selected  TAI中のTACを前記Corresponding  RNC  IDに充填することは、さらに、
選択した前記PLMN  IDを、前記Corresponding  RNC  IDにおけるLAI中のPLMN  IDとして充填し;
前記Selected  TAI中のTACを、前記Corresponding  RNC  IDにおける前記LAI中のLACとして充填し;
前記eNB  ID中の8個のビットを、前記Corresponding  RNC  ID中のRACとして充填し;及び
前記eNB  ID中の前記8個のビット以外の12個のビットを、前記Corresponding  RNC  ID中のRNC  IDとして充填し、又は、前記eNB  ID中の前記8個のビット以外の12個のビットに1〜4個のビットを追加して前記Corresponding  RNC  ID中の拡張RNC−IDとして充填することを含む、方法。
【請求項４】
請求項１又は２に記載の方法であって、
選択した前記PLMN  ID、前記Target  eNB  IDに含まれるeNB  ID、及び、前記Selected  TAI中のTACを前記Corresponding  RNC  IDに充填することは、さらに、
選択した前記PLMN  IDを、前記Corresponding  RNC  IDにおけるLAI中のPLMN  IDとして充填し;
前記Selected  TAI中のTACを、前記Corresponding  RNC  IDにおける前記LAI中のLACの１つのバイト及びRACとして充填し;
前記eNB  ID中の8個のビットを、前記Corresponding  RNC  IDにおける前記LAI中のLACの他の１つのバイトとして充填し；及び
前記eNB  ID中の前記8個のビット以外の12個のビットを、前記Corresponding  RNC  ID中のRNC  IDとして充填し、又は、前記eNB  ID中の前記8個のビット以外の12個のビットに1〜4個のビットを追加して前記Corresponding  RNC  ID中の拡張RNC−IDとして充填することを含む、方法。
【請求項５】
請求項４に記載の方法であって、
前記LAI中のLACの１つのバイトは、前記LACの１つ目のバイト又は２つ目のバイトである、方法。
【請求項６】
請求項３〜５の任意の１項に記載の方法であって、
前記eNB  ID中の8個のビットは、前記eNB  ID中の高位の8個のビットであり、又は、前記eNB  ID中の8個のビットは、前記eNB  ID中の低位の8個のビットである、方法。
【請求項７】
請求項３〜５の任意の１項に記載の方法であって、
前記eNB  ID中の前記8個のビット以外の12個のビットに1〜4個のビットを追加することは、さらに、
前記12個のビットの前に前記1〜4個のビットを追加し、又は、前記12個のビットの後に前記1〜4個のビットを追加することを含む、方法。
【請求項８】
請求項１又は２に記載の方法であって、
選択した前記PLMN  ID、前記Target  eNB  IDに含まれるeNB  ID、及び、前記Selected  TAI中のTACを前記Corresponding  RNC  IDに充填することは、さらに、
選択した前記PLMN  ID、前記eNB  ID、及び、前記TACを順に前記Corresponding  RNC  IDに充填することを含む、方法。
【請求項９】
請求項１又は２に記載の方法であって、
選択した前記PLMN  ID、前記Target  eNB  IDに含まれるeNB  ID、及び、前記Selected  TAI中のTACを前記Corresponding  RNC  IDに充填することは、さらに、
前記eNB  IDに4個のビットを追加して前記Corresponding  RNC  IDにおけるLAI中のPLMN  IDとして充填し;及び
選択した前記PLMN  IDを、前記Corresponding  RNC  IDにおける前記LAI中のLAC及びRACとして充填し；及び
前記Selected  TAI中のTACを、前記Corresponding  RNC  ID中の拡張RNC−IDとして充填することを含む、方法。
【請求項１０】
請求項１又は２に記載の方法であって、
選択した前記PLMN  ID、前記Target  eNB  IDに含まれるeNB  ID、及び、前記Selected  TAI中のTACを前記Corresponding  RNC  IDに充填することは、さらに、
選択した前記PLMN  IDを、前記Corresponding  RNC  IDにおけるLAI中のPLMN  IDとして充填し;
前記eNB  IDに4個のビットを追加して前記Corresponding  RNC  IDにおける前記LAI中のLAC及びRACとして充填し;及び
前記Selected  TAI中のTACを、前記Corresponding  RNC  ID中の拡張RNC−IDとして充填することを含む、方法。
【請求項１１】
請求項９又は１０に記載の方法であって、
前記eNB  IDに4個のビットを追加することは、
前記eNB  IDの前に4個のビットを追加し、又は、前記eNB  IDの後に4個のビットを追加することを含む、方法。
【請求項１２】
請求項1又は2に記載の方法であって、
前記Target  eNB  IDをCorresponding  RNC  IDに変換する前に、さらに、
Iuインターフェース交互情報中の予め設定された情報エレメント、又は、バックグランドで構成されたSGSN情報により、SGSNがTarget  eNB  IDを認識することができるかどうかを確定することを含む、方法。
【請求項１３】
UMTSからLTEへのハンドオーバー方法であって、
SGSNが送信したフォワード再配置要求メッセージを受信し；
前記フォワード再配置要求メッセージ中のTarget  IDがCorresponding  RNC  IDであるかどうかを確定し、前記Corresponding  RNC  IDは、Target  eNB  IDから変換されたものであり、且つ、選択されたPLMN  ID、前記Target  eNB  IDに含まれるeNB  ID、及び、前記Target  eNB  IDに含まれるSelected  TAI中のTACを携帯し、選択された前記PLMN  IDは、前記Target  eNB  IDに含まれる第一PLMN  ID及び第二PLMN  IDのうちの一つであり；及び
前記Target  IDがCorresponding  RNC  IDであると確定した時に、前記Corresponding  RNC  IDに基いて復元のTarget  eNB  IDを取得し;及び
前記復元のTarget  eNB  IDに基いて目標eNBをアドレッシングし、アドレッシングした前記目標eNBにハンドオーバー要求メッセージを送信することを含む、方法。
【請求項１４】
請求項１３に記載の方法であって、
前記Target  RNC  IDがCorresponding  RNC  IDであるかどうかを確定することは、
前記Target  RNC  ID中の、TACに対応するビット、又は、eNB  IDに対応するビット及び/又は追加された1〜4ビットに基いて、前記Target  RNC  IDがCorresponding  RNC  IDであるかどうかを確定することを含む、方法。
【請求項１５】
請求項１３又は１４に記載の方法であって、
前記第一PLMN  IDは、前記Target  eNB  IDの前の３個のバイトに対応し、前記第二PLMN  IDは、前記Selected  TAI中のPLMN  IDであり、
前記第一PLMN  ID及び前記第二PLMN  IDが同じである時に、選択された前記PLMN  IDは、前記第一PLMN  ID又は前記第二PLMN  IDであり、前記第一PLMN  ID及び前記第二PLMN  IDが異なる時に、選択された前記PLMN  IDは、前記第二PLMN  IDである、方法。
【請求項１６】
請求項１５に記載の方法であって、
前記Corresponding  RNC  IDに基いて復元のTarget  eNB  IDを取得することは、さらに、
前記Corresponding  RNC  IDにおけるLAI中のPLMN  IDを抽出して、前記Target  eNB  IDの第一PLMN  ID又は第二PLMN  IDを取得し；
前記Corresponding  RNC  IDにおける前記LAI中のLACを抽出して、前記Target  eNB  IDのSelected  TAI中のTACを取得し;
前記Corresponding  RNC  ID中のRACを抽出して、前記Target  eNB  IDのeNB  ID中の8個のビットを取得し；及び
前記Corresponding  RNC  ID中のRNC  IDを抽出して、又は、前記Corresponding  RNC  ID中の拡張RNC−IDを抽出して、前記Target  eNB  IDのeNB  ID中の前記8個のビット以外の12個のビットを取得することを含む、方法。
【請求項１７】
請求項１５に記載の方法であって、
前記Corresponding  RNC  IDに基いて復元のTarget  eNB  IDを取得することは、さらに、
前記Corresponding  RNC  IDにおけるLAI中のPLMN  IDを抽出して、前記Target  eNB  IDの第一PLMN  ID又は第二PLMN  IDを取得し;
前記Corresponding  RNC  IDにおける前記LAI中のLACの１つのバイト及びRACを抽出して、前記Target  eNB  IDの前記Selected  TAI中のTACを取得し;
前記Corresponding  RNC  IDにおける前記LAI中のLACの他の１つのバイトを抽出して、前記Target  eNB  IDのeNB  ID中の8個のビットを取得し；及び
前記Corresponding  RNC  ID中のRNC  IDを抽出して、又は、前記Corresponding  RNC  ID中の拡張RNC−IDを抽出して、前記Target  eNB  IDのeNB  ID中の前記8個のビット以外の12個のビットを取得することを含む、方法。
【請求項１８】
請求項１５に記載の方法であって、
前記Corresponding  RNC  IDに基いて復元のTarget  eNB  IDを取得することは、さらに、
順に第一PLMN  ID又は第二PLMN  ID、前記eNB  ID、及び、前記TACを抽出することを含む、方法。
【請求項１９】
請求項１５に記載の方法であって、
前記Corresponding  RNC  IDに基いて復元のTarget  eNB  IDを取得することは、さらに、
前記Corresponding  RNC  IDにおけるLAI中のPLMN  IDを抽出して、前記Target  eNB  IDのeNB  IDを取得し;
前記Corresponding  RNC  IDにおける前記LAI中のLAC及びRACを抽出して、前記Target  eNB  IDの前記第一PLMN  ID又は前記第二PLMN  IDを取得し;及び
前記Corresponding  RNC  ID中の拡張RNC−IDを抽出して、前記Target  eNB  IDのSelected  TAI中のTACを取得することを含む、方法。
【請求項２０】
請求項１５に記載の方法であって、
前記Corresponding  RNC  IDに基いて復元のTarget  eNB  IDを取得することは、さらに、
前記Corresponding  RNC  IDにおけるLAI中のPLMN  IDを抽出して、前記Target  eNB  IDの第一PLMN  ID又は第二PLMN  IDを取得し;
前記Corresponding  RNC  IDにおける前記LAI中のLAC及びRACを抽出して、前記Target  eNB  IDのeNB  IDを取得し;及び
前記Corresponding  RNC  ID中の拡張RNC−IDを抽出して、前記Target  eNB  IDのSelected  TAI中のTACを取得することを含む、方法。
【請求項２１】
無線ネットワークコントローラであって、
SGSNがTarget  eNB  IDを認識することができない時に、前記Target  eNB  IDをCorresponding  RNC  IDに変換するための変換ユニット;及び
前記SGSNに再配置要求メッセージを送信するための送信ユニットであって、前記再配置要求メッセージは、前記Corresponding  RNC  IDを携帯する、送信ユニットを含み、
前記変換ユニットは、更に、
前記Target  eNB  IDに含まれる第一PLMN  ID及び第二PLMN  IDのうちの一つを選択するための選択モジュール；及び
前記選択モジュールが選択したPLMN  ID、前記Target  eNB  IDに含まれるeNB  ID、及び、前記Target  eNB  IDに含まれるSelected  TAI中のTACを前記Corresponding  RNC  IDに充填するための充填モジュールを含む、無線ネットワークコントローラ。
【請求項２２】
請求項２１に記載の無線ネットワークコントローラであって、
前記第一PLMN  IDは、前記Target  eNB  IDの前の３個バイトに対応し、前記第二PLMN  IDは、前記Selected  TAI中のPLMN  IDであり、
前記選択モジュールは、具体的に、
前記第一PLMN  ID及び前記第二PLMN  IDが同じである時に、前記第一PLMN  ID又は前記第二PLMN  IDを、選択された前記PLMN  IDとして選択し、及び、
前記第一PLMN  ID及び前記第二PLMN  IDが異なる時に、前記第二PLMN  IDを、選択された前記PLMN  IDとして選択するために用いられる、無線ネットワークコントローラ。
【請求項２３】
請求項２１又は２２に記載の無線ネットワークコントローラであって、
前記充填モジュールは、具体的に、
選択されたPLMN  IDを、前記Corresponding  RNC  IDにおけるLAI中のPLMN  IDとして充填し、
前記Selected  TAI中のTACを、前記Corresponding  RNC  IDにおける前記LAI中のLACとして充填し、
前記eNB  ID中の8個のビットを、前記Corresponding  RNC  ID中のRACとして充填し、及び
前記eNB  ID中の前記8個のビット以外の12個のビットを、前記Corresponding  RNC  ID中のRNC  IDとして充填し、又は、前記eNB  ID中の前記8個のビット以外の12個のビットに1〜4個のビットを追加して前記Corresponding  RNC  ID中の拡張RNC−IDとして充填するために用いられる、無線ネットワークコントローラ。
【請求項２４】
請求項２１又は２２に記載の無線ネットワークコントローラであって、
前記充填モジュールは、具体的に、
選択された前記PLMN  IDを、前記Corresponding  RNC  IDにおけるLAI中のPLMN  IDとして充填し、
前記Selected  TAI中のTACを、前記Corresponding  RNC  IDにおける前記LAI中のLACの１つのバイト及びRACとして充填し、
前記eNB  ID中の8個のビットを、前記Corresponding  RNC  IDにおける前記LAI中のLACの他の１つのバイトとして充填し、及び
前記eNB  ID中の前記8個のビット以外の12個のビットを、前記Corresponding  RNC  ID中のRNC  IDとして充填し、又は、前記eNB  ID中の前記8個のビット以外の12個のビットに1〜4個のビットを追加して前記Corresponding  RNC  ID中の拡張RNC−IDとして充填するために用いられる、無線ネットワークコントローラ。
【請求項２５】
請求項２１又は２２に記載の無線ネットワークコントローラであって、
前記充填モジュールは、具体的に、
選択された前記PLMN  ID、前記eNB  ID、及び、前記TACを順に前記Corresponding  RNC  IDに充填するために用いられる、無線ネットワークコントローラ。
【請求項２６】
請求項２１又は２２に記載の無線ネットワークコントローラであって、
前記充填モジュールは、具体的に、
前記eNB  IDに4個のビットを追加して前記Corresponding  RNC  IDにおけるLAI中のPLMN  IDとして充填し、
選択された前記PLMN  IDを、前記Corresponding  RNC  IDにおける前記LAI中のLAC及びRACとして充填し、及び
将前記Selected  TAI中のTACを、前記Corresponding  RNC  ID中の拡張RNC−IDとして充填することを含む、無線ネットワークコントローラ。
【請求項２７】
請求項２１又は２２に記載の無線ネットワークコントローラであって、
前記充填モジュールは、具体的に、
選択された前記PLMN  IDを、前記Corresponding  RNC  IDにおけるLAI中のPLMN  IDとして充填し、
前記eNB  IDに4個のビットを追加して前記Corresponding  RNC  IDにおける前記LAI中のLAC及びRACとして充填し、及び
前記Selected  TAI中のTACを、前記Corresponding  RNC  ID中の拡張RNC−IDとして充填するために用いられる、無線ネットワークコントローラ。
【請求項２８】
MME設備であって、
SGSNが送信したフォワード再配置要求メッセージを受信するための受信ユニット；及び
前記受信ユニットが受信したフォワード再配置要求メッセージ中のTarget  IDがCorresponding  RNC  IDであるかどうかを確定するための確定ユニットであって、前記Corresponding  RNC  IDは、Target  eNB  IDから変換されたものであり、且つ選択されたPLMN  ID、前記Target  eNB  IDに含まれるeNB  ID、及び、前記Target  eNB  IDに含まれるSelected  TAI中のTACを携帯し、選択された前記PLMN  IDは、前記Target  eNB  IDに含まれる第一PLMN  ID及び第二PLMN  IDのうちの一つである、確定ユニット；
前記確定ユニットにより、前記Target  IDがCorresponding  RNC  IDであると確定した時に、前記Corresponding  RNC  IDに基いて復元のTarget  eNB  IDを取得するための復元ユニット;及び
前記復元ユニットが復元したTarget  eNB  IDに基いて、目標eNBをアドレッシングし、アドレッシングした前記目標eNBにハンドオーバー要求メッセージを送信するための要求ユニットを含む、MME設備。
【請求項２９】
請求項２８に記載のMME設備であって、
前記確定ユニットは、具体的に、
前記Target  RNC  ID中の、TACに対応するビット、又は、eNB  IDに対応するビット及び/又は追加された1〜4個のビットに基いて、前記Target  RNC  IDがCorresponding  RNC  IDであるかどうかを確定するために用いられる、MME設備。
【請求項３０】
請求項２８又は２９に記載のMME設備であって、
前記復元ユニットは、具体的に、
前記Corresponding  RNC  IDにおけるLAI中のPLMN  IDを抽出して、前記Target  eNB  IDの第一PLMN  ID又は第二PLMN  IDを取得し、
前記Corresponding  RNC  IDにおける前記LAI中のLACを抽出して、前記Target  eNB  IDのSelected  TAI中のTACを取得し、
前記Corresponding  RNC  ID中のRACを抽出して、前記Target  eNB  IDのeNB  ID中の8個のビットを取得し、及び
前記Corresponding  RNC  ID中のRNC  IDを抽出して、又は、前記Corresponding  RNC  ID中の拡張RNC−IDを抽出して、前記Target  eNB  IDのeNB  ID中の前記8個のビット以外の12個のビットを取得するために用いられる、MME設備。
【請求項３１】
請求項２８に記載のMME設備であって、
前記復元ユニットは、具体的に、
前記Corresponding  RNC  IDにおけるLAI中のPLMN  IDを抽出して、前記Target  eNB  IDの第一PLMN  ID又は第二PLMN  IDを取得し、
前記Corresponding  RNC  IDにおける前記LAI中のLACの１つのバイト及びRACを抽出して、前記Target  eNB  IDの前記Selected  TAI中のTACを取得し、
前記Corresponding  RNC  IDにおける前記LAI中のLACの他の１つのバイトを抽出して、前記Target  eNB  IDのeNB  ID中の8個のビットを取得し、
前記Corresponding  RNC  ID中のRNC  IDを抽出して、又は、前記Corresponding  RNC  ID中の拡張RNC−IDを抽出して、前記Target  eNB  IDのeNB  ID中の前記8個のビット以外の12個のビットを取得するために用いられる、MME設備。
【請求項３２】
請求項２８に記載のMME設備であって、
前記復元ユニットは、具体的に、
順に前記第一PLMN  ID又は前記第二PLMN  ID、前記eNB  ID、及び、前記TACを抽出するために用いられる、MME設備。
【請求項３３】
請求項２８に記載のMME設備であって、
前記復元ユニットは、具体的に、
前記Corresponding  RNC  IDにおけるLAI中のPLMN  IDを抽出して、前記Target  eNB  IDのeNB  IDを取得し、
前記Corresponding  RNC  IDにおけるの前記LAI中のLAC及びRACを抽出して、前記Target  eNB  IDの前記第一PLMN  ID又は前記第二PLMN  IDを取得し、及び
前記Corresponding  RNC  ID中の拡張RNC−IDを抽出して、前記Target  eNB  IDのSelected  TAI中のTACを取得するために用いられる、MME設備。
【請求項３４】
請求項２８に記載のMME設備であって、
前記復元ユニットは、具体的に、
前記Corresponding  RNC  IDにおけるLAI中のPLMN  IDを抽出して、前記Target  eNB  IDの第一PLMN  ID又は第二PLMN  IDを取得し、
前記Corresponding  RNC  IDにおける前記LAI中のLAC及びRACを抽出して、前記Target  eNB  IDのeNB  IDを取得し、及び
前記Corresponding  RNC  ID中の拡張RNC−IDを抽出して、前記Target  eNB  IDのSelected  TAI中のTACを取得するために用いられる、MME設備。
【請求項３５】
コンピュータに、請求項１〜２０の任意の1項に記載の方法を実行させるためのプログラム。
【請求項３６】
請求項３５に記載のプログラムを記録したコンピュータ読み取り可能な記録媒体。
【発明の詳細な説明】
【技術分野】
【０００１】
本発明の実施例は、通信技術分野に関し、且つより具体的に、ハンドオーバー(handover)方法及び設備に関する。
【０００２】
本出願は、2011年07月20日に中国特許局に提出した、出願番号が201110203837.2である、発明の名称が「ハンドオーバー方法及び設備」である中国特許出願の優先権を主張し、その全部の内容は、引用することにより本出願に援用する。
【背景技術】
【０００３】
移動通信システムでは、UE(User  Equipment）が、ネットワーク側との通信期間に、１つのBS(Base  Station、基地局）のカバーする領域から、他の１つのBSのカバーする領域に移行する時に、元の無線チャネルを新しい無線チャネルに切り換えるプロセスをハンドオーバーと呼んでいる。
【０００４】
今のところ、UMTS(Universal  Mobile  Telecommunications  System）システムでは、ハンドオーバーは、システム内ハンドオーバー及びシステム間ハンドオーバーに分けられている。システム内ハンドオーバーとは、UEが使用する元のセル及びハンドオーバーの目標セルが全てUMTSシステム内のセルであるハンドオーバーを指す。システム間ハンドオーバーとは、UMTSシステムのセルと、他の無線システムとの間のハンドオーバーを指す。従来技術では、UMTSと、GSM（登録商標）(Global  Systems  For  Mobile  Communication)、LTE(Long  Term  Evolution）システムとの間のシステム間ハンドオーバーをサポートしている。
【０００５】
LTEは、今のところ、3GPP(3rd  Generation  Partnership  Project）により制定されている次世代移動通信規格であり、その目的は、ネットワークの時間遅延を低減し、データレートを向上させ、システム容量及びカバレッジをより良くすることができる低コストネットワークを提供することにある。UMTSネットワーク及びLTEネットワークが重畳してカバーする領域又は境界の所では、ユーザのニーズをより良く満足するために、システム間ハンドオーバーにより、UMTSシステム中のユーザをLTEシステムに移行させることができる。
【０００６】
UMTSからLTEシステムへのハンドオーバープロセスでは、主に、RNC(Radio  Network  Controller）、SGSN(Serving  GPRS  Support  Node）、MME(Mobility  Management  Entity）及びeNB(Evolved  NodeB）などのネットワーク実体に関与する。そのうち、重要なステップは、ソースノードRNCが、コアネットワークにより、ハンドオーバー要求を正確に目標ノードeNBに送信することである。
【０００７】
RNCは、UEをLTEネットワークに切り換えると決定する時に、SGSNに１つの再配置要求(Relocation  Required)メッセージを送信することができ、その中に、システム間ハンドオーバーのパラメータ及びTarget  ID(目標ノード標識）が含まれる。続いて、SGSNは、メッセージ中のTarget  IDに基いて、ハンドオーバー要求を、フォワード再配置要求（Forward  Relocation  Request)メッセージにより、目標MMEにフォワード（転送）することができ、目標MMEは、更に、Forward  Relocation  Requestメッセージ中のTarget  IDに基いて、目標eNBを確定し、そして、目標eNBにハンドオーバー要求(Handover  Request)メッセージを送信し、ハンドオーバーに必要なリソースの確立を要求する。
【０００８】
上述のメッセージ中のTarget  IDは、SGSNが目標MMEをアドレッシング（Addressing）する、及び、目標MMEが目標eNBをアドレッシングする根拠である。ハンドオーバーの目標システムが異なることにより、Target  IDは、Target  RNC  ID(目標無線ネットワークコントローラ標識）、Cell  Global  ID(セルグローバル標識）、及びTarget  eNB  ID(目標LTE基地局標識）に分けられている。そのうち、Target  RNC  IDは、UMTSからUMTSへのハンドオーバーに用いられ、Cell  Global  IDは、UMTSからGSMへのハンドオーバーに用いられ、Target  eNB  IDは、UMTSからLTEへのハンドオーバーに用いられる。
【０００９】
UMTSからLTEシステムへのハンドオーバーでは、Target  IDをTarget  eNB  IDとして設定する必要がある。しかし、従来のネットワークでは、Target  eNB  IDを識別することができないSGSNが存在する。よって、RNCは、先ず、目標ノードのTarget  eNB  IDを１つのTarget  RNC  ID(Corresponding（対応）RNC  ID）と言い、RNC  IDと同じである。)に変換し、その後、目標MMEは、対応する変換ルールに従ってCorresponding  RNC  IDを真のTarget  eNB  IDに還元することができると考えられる。このような変換ストラテジーにより、SGSN、目標MMEは、ハンドオーバー要求を正確に目標eNBノードにフォワードすることができる。
【００１０】
しかし、今のところ、Target  eNB  ID及びCorresponding  RNC  IDを変換するためあのルールはまだ存在しない。
【発明の概要】
【発明が解決しようとする課題】
【００１１】
本発明の実施例は、Target  eNB  ID及びCorresponding  RNC  IDを変換することができるハンドオーバー方法及び設備を提供する。
【課題を解決するための手段】
【００１２】
一側面によれば、UMTSからLTEへのハンドオーバー方法が提供され、この方法は、SGSNがTarget  eNB  IDを識別することができない時に、Target  eNB  IDをCorresponding  RNC  IDに変換し;及び、SGSNに再配置要求メッセージを送信し、そのうち、再配置要求メッセージは、Corresponding  RNC  IDを携帯することを含み、そのうち、Target  eNB  IDをCorresponding  RNC  IDに変換することは、Target  eNB  IDに含まれる第一PLMN（Public  Land  Mobile  Network）  ID及び第二PLMN  IDのうちの１つを選択し；及び、選択したPLMN  ID、Target  eNB  IDに含まれれるeNB  ID、及び、Target  eNB  IDに含まれるSelected  TAI（Tracking  Area  Identity）中のTAC（Tracking  Area  Code）をCorresponding  RNC  IDに充填（Fill）することを含む。
【００１３】
他の側面によれば、UMTSからLTEへのハンドオーバー方法が提供され、この方法は、無線ネットワークコントローラが送信した再配置要求メッセージを受信し、そのうち、再配置要求メッセージは、Corresponding  RNC  IDを携帯し、Corresponding  RNC  IDは、Target  eNB  IDから変換されたものであり、且つ、選択されたPLMN  ID、Target  eNB  IDに含まれるeNB  ID、及び、Target  eNB  IDに含まれるSelected  TAI中のTACを携帯し、そのうち、選択されたPLMN  IDは、Target  eNB  IDに含まれる第一PLMN  ID及び第二PLMN  IDのうちの１つであり；及び、Corresponding  RNC  IDに基いて目標MMEをアドレッシングし、アドレッシングした目標MMEにフォワード再配置要求メッセージを送信し、フォワード再配置要求メッセージ中のTarget  IDは、Corresponding  RNC  IDの情報を携帯する、ことを含む。
【００１４】
他の側面によれば、UMTSからLTEへのハンドオーバー方法が提供され、この方法は、SGSNが送信したフォワード再配置要求メッセージを受信し；フォワード再配置要求メッセージ中のTarget  IDがCorresponding  RNC  IDであるかどうかを確定し、そのうち、Corresponding  RNC  IDは、Target  eNB  IDから変換されたものであり、且つ、選択されたPLMN  ID、Target  eNB  IDに含まれるeNB  ID、及び、Target  eNB  IDに含まれるSelected  TAI中のTACを携帯し、選択されたPLMN  IDは、Target  eNB  IDに含まれる第一PLMN  ID及び第二PLMN  IDのうちの１つであり；Target  IDがCorresponding  RNC  IDであると確定した時に、Corresponding  RNC  IDに基いて復元のTarget  eNB  IDを取得し;及び、復元のTarget  eNB  IDに基いて目標eNBをアドレッシングし、アドレッシングした目標eNBにハンドオーバー要求メッセージを送信することを含む。
【００１５】
他の側面によれば、無線ネットワークコントローラが提供され、それは、SGSNがTarget  eNB  IDを識別することができない時に、Target  eNB  IDをCorresponding  RNC  IDに変換するために用いられる変換ユニット;及び、SGSNに再配置要求メッセージを送信するために用いられる送信ユニットであって、再配置要求メッセージは、Corresponding  RNC  IDを携帯する、送信ユニットを含み、そのうち、変換ユニットは、Target  eNB  IDに含まれる第一PLMN  ID及び第二PLMN  IDのうちの１つを選択するために用いられる選択モジュール；及び、選択されたPLMN  ID、Target  eNB  IDに含まれるeNB  ID、及び、Target  eNB  IDに含まれるSelected  TAI中のTACを、Corresponding  RNC  IDに充填するために用いられる充填モジュールを含む。
【００１６】
他の側面によれば、SGSN設備が提供され、それは、無線ネットワークコントローラが送信した再配置要求メッセージを受信するために用いられる受信ユニットであって、再配置要求メッセージは、Corresponding  RNC  IDを携帯し、Corresponding  RNC  IDは、Target  eNB  IDから変換されたものであり、且つ、選択されたPLMN  ID、Target  eNB  IDに含まれるeNB  ID、及び、Target  eNB  IDに含まれるSelected  TAI中のTACを携帯し、そのうち、選択されたPLMN  IDは、Target  eNB  IDに含まれる第一PLMN  ID及び第二PLMN  IDのうちの１つである、受信ユニット；及び、Corresponding  RNC  IDに基いて目標MMEをアドレッシングし、アドレッシングした目標MMEにフォワード再配置要求メッセージを送信するために用いられる要求ユニットであって、フォワード再配置要求メッセージ中のTarget  IDは、Corresponding  RNC  IDの情報を携帯する、要求ユニットを含む。
【００１７】
他の側面によれば、MME設備が提供され、それは、SGSNが送信したフォワード再配置要求メッセージを受信するために用いられる受信ユニット；フォワード再配置要求メッセージ中のTarget  IDがCorresponding  RNC  IDであるかどうかを確定するために用いられる確定ユニットであって、Corresponding  RNC  IDは、Target  eNB  IDから変換されたものであり、且つ、選択されたPLMN  ID、Target  eNB  IDに含まれるeNB  ID、及び、Target  eNB  IDに含まれるSelected  TAI中のTACを携帯し、そのうち、選択されたPLMN  IDは、Target  eNB  IDに含まれる第一PLMN  ID及び第二PLMN  IDのうちの１つである、確定ユニット；Target  IDがCorresponding  RNC  IDであると確定した時に、Corresponding  RNC  IDに基いて復元のTarget  eNB  IDを取得するために用いられる復元ユニット;及び、復元のTarget  eNB  IDに基いて目標eNBをアドレッシングし、アドレッシングした目標eNBにハンドオーバー要求メッセージを送信するために用いられる要求ユニットを含む。
【００１８】
本発明の実施例は、Target  eNB  IDを変換する時に、Target  eNB  ID中の１つのPLMN  IDを捨て、これによって、変換する必要があるビット数は、Corresponding  RNC  IDに格納され得る。よって、Target  eNB  IDとCorresponding  RNC  IDとの間の変換を実現することができる。
【図面の簡単な説明】
【００１９】
本発明の実施例の技術案をより明確に説明するために、以下、実施例又は従来技術の説明に必要な図面について簡単に紹介する。明らかであるように、次の説明中の図面は、本発明の幾つかの実施例のみを示し、また、当業者にとって言えば、創造性の労働をしない前提で、これらの図面から他の図面を得ることもできる。
【図１】Target  RNC  IDを示す図である。
【図２】Target  eNB  IDを示す図である。
【図３】本発明の１つの実施例におけるUMTSからLTEへのハンドオーバー方法のフローチャートである。
【図４】ネットワーク共用シナリオを示す図である。
【図５】本発明の他の１つの実施例におけるUMTSからLTEへのハンドオーバー方法のフローチャートである。
【図６】本発明の他の１つの実施例におけるUMTSからLTEへのハンドオーバー方法のフローチャートである。
【図７】本発明の１つの実施例による標識変換の例を示す図である。
【図８】本発明の他の１つの実施例による標識変換の例を示す図である。
【図９】本発明の他の１つの実施例による標識変換の例を示す図である。
【図１０】本発明の他の１つの実施例による標識変換の例を示す図である。
【図１１】本発明の他の１つの実施例による標識変換の例を示す図である。
【図１２】本発明の他の１つの実施例による標識変換の例を示す図である。
【図１３】本発明の他の１つの実施例による標識変換の例を示す図である。
【図１４】本発明の他の１つの実施例による標識変換の例を示す図である。
【図１５】本発明の他の１つの実施例による標識変換の例を示す図である。
【図１６】本発明の他の１つの実施例による標識変換の例を示す図である。
【図１７】本発明の１つの実施例における無線ネットワークコントローラを示すブロック図である。
【図１８】本発明の実施例におけるSGSN設備を示すブロック図である。
【図１９】本発明の実施例におけるMME設備を示すブロック図である。
【発明を実施するための形態】
【００２０】
以下、本発明の実施例における図面を参照しながら、本発明の実施例における技術案を明確且つ完全に説明する。もちろん、説明されている実施例は、本発明の一部の実施例のみであり、全部の実施例ではない。また、本発明の実施例に基いて、当業者が創造性の労動をしない前提で得た全ての他の実施例も本発明の保護範囲内に属する。
【００２１】
図1は、Target  RNC  IDを示す図である。図1に示すように、Target  RNC  IDは、次のような部分からなる。
【００２２】
LAI(Location  Area  Identity)：PLMN  ID(Public  Land  Mobile  Network  Identity）及びLAC(Location  Area  Code）の２つの部分からなり、それぞれ、3個のバイト及び2個のバイトを占め；
RAC(Routing  Area  Code）：1個のバイトを占め；
RNC  ID(Radio  Network  Controller  Identity）：範囲が0〜4095であり、12個のビットを占め；
Extended  RNC−ID：範囲が4096〜60535であり、13〜16個のビットを占め、従来技術では、Extended  RNC−IDを携帯する時に、RNC  IDが無視される。
【００２３】
よって、Target  RNC  IDにExtended  RNC−IDが含まれない時に、Target  RNC  IDが60ビットを占める。Target  RNC  IDにExtended  RNC−IDが含まれ、また、その中に含まれるRNC−IDが使用不可である時に、Target  RNC  IDが占めるビット数は、Extended  RNC−IDのビット数に依存し、ビット数の範囲は73〜76であるが、使用可能なビット数は、61〜64ビットである。
【００２４】
図2は、Target  eNB  IDを示す図である。図2に示すように、Target  eNB  IDは、次の部分からなる。
【００２５】
PLMN  ID：eNBがコアネットワークへ登録する時に用いるPLMN標識であり、eNBがこのPLMNのオペレーターの所有するものであることを表し、3個のバイトを占め、なお、便宜のため、ここでは、このPLMN  IDを第一PLMN  IDを言い；
eNB  ID：Macro  eNB  ID及びHome  eNB  IDに分けてもよく、それぞれ、20個のビット及び28個のビットを占め；
Selected  TAI(Tracking  Area  Identifier）：PLMN  ID及びTAC(Tracking  Area  Code)を含み、ここでのPLMN  ID及びTACは、RNCが選定した目標サービングネットワークのPLMN標識及び追跡領域コードであり、なお、便宜のため、Selected  TAI中のPLMN  IDを第二PLMN  IDと言う。
【００２６】
なお、図2に示すのは、Macro  eNB  IDをeNB  IDとする例である。
【００２７】
よって、Target  eNB  IDが占めるビット数は、84であり、Target  RNC  IDの構成要素及び長さとはともに異なり、多くのSGSNは、Target  eNB  IDを識別することができない。この時に、Target  eNB  IDをCorresponding  RNC  IDに変換する必要がある。Corresponding  RNC  IDの構成は、図1に示すようなTarget  RNC  IDとは同じである。
【００２８】
図3は、本発明の１つの実施例におけるUMTSからLTEへのハンドオーバー方法のフローチャートである。図3の方法は、ハンドオーバーを発起するRNCにより実行される。
【００２９】
301：SGSNがTarget  eNB  IDを識別することができない時に、Target  eNB  IDをCorresponding  RNC  IDに変換し；
302：SGSNに再配置要求（Relocation  Required)メッセージを送信し、そのうち、該再配置要求メッセージは、上述のCorresponding  RNC  IDを携帯する。
【００３０】
そのうち、ステップ301は、更に、Target  eNB  IDに含まれる第一PLMN  ID及び第二PLMN  IDのうちの１つを選択し、上述の第一PLMN  IDは、Target  eNB  IDの前の３個のバイトに対応し、上述の第二PLMN  IDは、Target  eNB  IDに含まれるSelected  TAI中のPLMN  IDであり;及び、選択したPLMN  ID、Target  eNB  IDに含まれるeNB  ID、及び、Selected  TAI中のTACを上述のCorresponding  RNC  IDに充填することを含む。
【００３１】
よって、本発明の実施例は、Target  eNB  IDを変換する時に、Target  eNB  ID中の１つのPLMN  IDを捨て、これによって、変換する必要があるビット数は、Corresponding  RNC  IDに格納され得る。よって、Target  eNB  ID及びCorresponding  RNC  IDの間の変換を実現することができる。
【００３２】
具体的には、成功裏に変換するために、Target  eNB  IDの変換時に、一部のビットを捨てる必要がある。Target  eNB  IDには、２つのPLMN  IDが含まれる。第一PLMN  IDは、Target  eNB  IDの前の３個のバイトに対応し、第二PLMN  IDは、Selected  TAI中のPLMN  IDである。この２つのPLMN  IDは、同じであってもよく、異なっても良い。
【００３３】
第一PLMN  ID及び第二PLMN  IDが同じである時に、第一PLMN  ID又は第二PLMN  IDを、Corresponding  RNC  IDに充填しようとする上述の選択されたPLMN  IDとして選択してもよく;第一PLMN  ID及び第二PLMN  IDが異なる時に、ハンドオーバー要求を正確にサービングネットワークのコアネットワーク設備MMEに送信するために、第二PLMN  IDを、上述の選択されたPLMN  IDとして良い。
【００３４】
図4は、ネットワーク共用シナリオを示す図である。図4に示すように、MME(A)、eNB(A)がネットワークオペレーターAに属し、MME(B)、eNB(B)がネットワークオペレーターBに属する。そのうち、eNB(B)は、ΑオペレーターネットワークのコアネットワークMME(A)に接続され、オペレーターΑのネットワークに使用することができ、このようなシナリオは、ネットワーク共用と称される。ネットワーク共用のシナリオでは、オペレーターAのネットワークに登録されているUEは、AネットワークのeNB(A)によりAネットワークのコアネットワークMME(A)にアクセスすることができるのにならず、BネットワークのeNB(B)によりAネットワークのコアネットワークMME(A)にアクセスすることもできる。RNCが、UEをeNB(A)の下の某セルに移行させて、Aネットワークにアクセスさせると決定する時に、このような場合のTarget  eNB  ID中の第一PLMN  ID及び第二PLMN  IDは、すべてPLMN(A)  IDであり、RNCが、UEをeNB(B)の下の某セルに移行させて、Aネットワークにアクセさせると決定する時に、このような場合のTarget  eNB  ID中の第一PLMN  IDは、PLMN(B)  IDであり、第二PLMN  IDは、PLMN(A)  IDである。eNB(A)のような目標eNB、即ち、他のネットワークと共用しない目標eNBについては、Target  eNB  ID中の２つのPLMN  IDが同じであり、そのうちの任意の１つのPLMN  IDを採用して変換を行っても、ハンドオーバー要求を正確にサービングネットワークのコアネットワーク設備MMEに送信することができるが、eNB(B)、即ち、他のネットワークと共用している目標eNBについては、２つの異なるPLMN  IDを有する可能性があり、ハンドオーバー要求を正確にサービングネットワークのコアネットワーク設備MMEに送信するために、この時に、第二PLMN  IDを選択して変換を行う必要があり、即ち、第一PLMN  IDを捨てる。
【００３５】
図5は、本発明の他の１つの実施例におけるUMTSからLTEへのハンドオーバー方法のフローチャートである。図3に示す方法に基いて実現され、図5の方法は、SGSNにより実行され、且つ、図3の方法に対応し、よって、詳細な説明を適切に省略する。
【００３６】
501：無線ネットワークコントローラが送信した再配置要求メッセージを受信し、そのうち、再配置要求メッセージは、Corresponding  RNC  IDを携帯し、Corresponding  RNC  IDは、Target  eNB  IDから変換されたものであり、且つ、選択されたPLMN  ID、Target  eNB  IDに含まれるeNB  ID、及び、Target  eNB  IDに含まれるSelected  TAI中のTACを携帯し、そのうち、選択されたPLMN  IDは、Target  eNB  IDに含まれる第一PLMN  ID及び第二PLMN  IDのうちの１つであり；
502：Corresponding  RNC  IDに基いて目標MMEをアドレッシングし、アドレッシングした目標MMEにフォワード再配置要求(Forward  Relocation  Request)メッセージを送信し、そのうち、該フォワード再配置要求メッセージ中の目標標識Target  IDは、上述のCorresponding  RNC  IDの情報を携帯する。
【００３７】
よって、本発明の実施例は、Target  eNB  IDを変換する時に、Target  eNB  ID中の１つのPLMN  IDを捨て、これによって、変換する必要があるビット数は、Corresponding  RNC  IDに格納され得る。よって、Target  eNB  ID及びCorresponding  RNC  IDの間の変換を実現することができる。
【００３８】
同時に、SGSNは、Corresponding  RNC  IDに基いて、対応する目標MMEをアドレッシングし、フォワード再配置要求メッセージの送信を完成させ、ハンドオーバーのプロセスの円滑な実行を保証することができる。
【００３９】
例えば、上述の第一PLMN  IDは、Target  eNB  IDの前の３個のバイトに対応し、第二PLMN  IDは、Selected  TAI中のPLMN  IDである。この２個のPLMN  IDは、同じであってもよく、異なっても良い。第一PLMN  ID及び第二PLMN  IDが同じである時に、上述の選択されたPLMN  IDは、第一PLMN  ID又は第二PLMN  IDであるが、第一PLMN  ID及び第二PLMN  IDが異なる時に、ハンドオーバー要求を正確にサービングネットワークのコアネットワーク設備MMEに送信するために、上述の選択されたPLMN  IDは、第二PLMN  IDであってよい。
【００４０】
図6は、本発明の他の１つの実施例におけるUMTSからLTEへのハンドオーバー方法のフローチャートである。図6の方法は、MMEにより実行され、且つ、図4及び図5の方法に対応し、よって、詳細な説明を適切に省略する。
【００４１】
601：SGSNが送信したフォワード再配置要求メッセージを受信し；
602：フォワード再配置要求メッセージ中のTarget  IDがCorresponding  RNC  IDであるかどうかを確定し、そのうち、Corresponding  RNC  IDは、Target  eNB  IDから変換されたものであり、且つ、選択されたPLMN  ID、Target  eNB  IDに含まれるeNB  ID、及び、Target  eNB  IDに含まれるSelected  TAI中のTACを携帯し、そのうち、選択されたPLMN  IDは、Target  eNB  IDに含まれる第一PLMN  ID及び第二PLMN  IDのうちの１つであり；
603：Target  IDがCorresponding  RNC  IDであると確定する時に、Corresponding  RNC  IDに基いて復元のTarget  eNB  IDを取得し；
604：復元のTarget  eNB  IDに基いて目標eNBをアドレッシングし、アドレッシングした目標eNBにハンドオーバー要求メッセージを送信する。
【００４２】
よって、本発明の実施例は、Target  eNB  IDを変換する時に、Target  eNB  ID中の１つのPLMN  IDを捨て、これによって、変換する必要があるビット数は、Corresponding  RNC  IDに格納され得る。よって、Target  eNB  ID及びCorresponding  RNC  IDの間の変換を実現することができる。
【００４３】
同時に、MMEは、該Corresponding  RNC  IDを識別し、Corresponding  RNC  IDからTarget  eNB  IDの各要素を復元し、また、Corresponding  RNC  IDに基いて、対応する目標eNBをアドレッシングし、ハンドオーバー要求メッセージの送信を完成させ、ハンドオーバープロセスの円滑な実行を保証することができる。
【００４４】
例えば、上述の第一PLMN  IDは、Target  eNB  IDの前の３個のバイトに対応し、第二PLMN  IDは、Selected  TAI中のPLMN  IDである。この２つのPLMN  IDは、同じであってもよく、異なってもよい。第一PLMN  ID及び第二PLMN  IDが同じである時に、上述の選択されたPLMN  IDは、第一PLMN  ID又は第二PLMN  IDであり、第一PLMN  ID及び第二PLMN  IDが違う時に、ハンドオーバー要求を正確にサービングネットワークのコアネットワーク設備MMEに送信するために、上述の選択されたPLMN  IDは、第二PLMN  IDであっても良い。
【００４５】
603では、図3の301における各要素の充填の逆プロセスに従って、復元のTarget  eNB  IDの各要素、例えば、PLMN  ID、eNB  ID、及びTACを取得する。オプションで、１つの実施例では、復元されたTarget  eNB  ID中の2つのPLMN  IDは、ともに、Corresponding  RNC  IDが携帯している上述の選択されたPLMN  IDである。
【００４６】
オプションで、他の１つの実施例として、ステップ602では、Target  RNC  ID中の、TACに対応するビット、又は、eNB  IDに対応するビット、及び/又は、追加された1〜4個のビットに基いて、Target  RNC  IDがCorresponding  RNC  IDであるかどうかを確定する。例えば、図3の301における各要素の充填のルールに従えば、eNB  ID又はTACを企画（構成）する時に、その値を、Target  RNC  ID中の対応するビットが代表する要素（例えば、PLMN  ID、LAC、RAC、RNC  ID又は拡張RNC  ID)の値とは異ならせるべきであり、これによって、MMEは、Target  RNC  IDがCorresponding  RNC  IDであるか、それとも、真のRNC  IDであるかを識別することができる。また、追加ビットがある場合に、追加されたビットの特定の値に基いて、Corresponding  RNC  IDと、Target  RNC  IDとを区別してもよい。或いは、eNB  IDと、追加ビットとの組み合わせによって、Corresponding  RNC  IDと、Target  RNC  IDとを区別しても良い。これらの変化はすべて本発明の実施例の範囲内に属する。
【００４７】
以下、具体例を参照しながら、本発明の実施例をより詳しく説明する。なお、特段の説明がない限り、下述のTarget  eNB  IDとは、全て、目標eNBがMacro  eNBである場合を指す。
【００４８】
また、以下には、主に、Target  eNB  IDからCorresponding  RNC  IDへの変換プロセスを述べる。Corresponding  RNC  IDからTarget  eNB  IDへの復元プロセスは、変換プロセスの逆プロセスであり、よって、詳しい説明を省略する。
【００４９】
図7は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【００５０】
RNCは、UMTS-LTEの異なるシステムのハンドオーバーを発起する時に、まず、SGSNがTarget  eNB  IDを識別することができるかどうかを確定する。例えば、Iuインターフェース交互情報中の予め設定された情報エレメント、例えば、RAB  ASSIGNMENT  REQUEST(RAB割り当て要求）又はCOMMON  ID（共通標識）メッセージにより指示してもよいが、これに限定されず、或いは、RNCは、バックグランドで構成されたSGSN情報により確定してもよい。SGSNがTarget  eNB  IDを識別することができなければ、次のようなルールに従って、ステップ301中の変換処理を行う。
【００５１】
選択されたPLMN  IDをCorresponding  RNC  IDにおけるLAI中のPLMN  IDとして充填し、即ち、Corresponding  RNC  ID中の前の３個のバイトであり；
Selected  TAI中のTACをCorresponding  RNC  IDにおけるLAI中のLACとして充填し、即ち、Corresponding  RNC  ID中のPLMNの後の２つのバイトであり；
eNB  ID(例えば、20ビット）中の8個のビットをCorresponding  RNC  ID中のRACとして充填し、即ち、Corresponding  RNC  IDのLACの後の１つのバイトである。図7の実施例では、上述の8個のビットは、eNB  ID中の低位の8個のビットである。
【００５２】
eNB  ID中の上述の8個のビット以外の12個のビットを、Corresponding  RNC  ID中のRNC  IDとして充填し、即ち、Corresponding  RNC  ID中のRACの後の12個のビットである。図7の実施例では、上述の12個のビットは、eNB  ID中の高位の12個のビットである。
【００５３】
eNB  IDを企画する時に、eNB  IDの高位の12ビットの値と、現在のネットワーク中のRNC  IDとを区別する必要があり、これによって、MMEは、Target  RNC  IDが真のRNC  IDであるか、それとも、Corresponding  RNC  IDであるかを区別することができる。或いは、TACを企画する時に、TACと、現在のネットワーク中のLACとを区別する必要があり、これによって、MMEは、Target  RNC  IDが真のRNC  IDであるか、それとも、Corresponding  RNC  IDであるかを区別することができる。
【００５４】
SGSNは、Relocation  Requiredメッセージを受信した後に、Relocation  Requiredメッセージ中のTarget  ID（即ち、上述のCorresponding  RNC  ID)に基いて、目標MMEのIPアドレスを見つけ、そして、Corresponding  RNC  IDの情報をForward  Relocation  Requestメッセージにより目標MMEにフォワードする。SGSNは、目標MMEのIPアドレスを見つける時に、次のような２種類の方式、即ち、rnc<RNC>.mnc<MNC>.mcc<MCC>.gprsドメイン名又はrac<RAC>.lac<LAC>.mnc<MNC>.mcc<MCC>.gprsドメイン名という２種類の方式で、アドレッシングを行ってもよく、ここでのRNCは、RNC  IDであってもよく、又は、Extended  RNC−IDであっても良い。TAC又はeNB  IDを企画する時の特別企画により、eNB  IDの高位の12ビットは、現在のネットワーク中のRNC  IDとは区別でき、又は、TACは、現在のネットワーク中のLACとは区別でき、よって、SGSNが上述の２種類の方式のうちの一つでMME  IPをアドレッシングする時に、この種の方式でのSGSN  IPアドレスのルックアップとは衝突することがない。
【００５５】
MMEは、Forward  Relocation  Requestメッセージを受信した後に、Target  IDが真のRNC  IDであるか、それとも、Corresponding  RNC  IDであるかを確定する。Corresponding  RNC  IDであれば、上述の変換ルールに従って、逆に復元を行うことにより、Target  eNB  IDの各要素を取得し得る。
【００５６】
例えば、MMEは、Corresponding  RNC  IDにおけるLAI中のPLMN  IDを抽出して、Target  eNB  IDの第一PLMN  ID又は第二PLMN  ID取得し、Corresponding  RNC  IDにおけるLAI中のLACを抽出して、Target  eNB  IDのSelected  TAI中のTACを取得し、Corresponding  RNC  ID中のRACを抽出して、Target  eNB  IDのeNB  ID中の8個のビットを取得し、Corresponding  RNC  ID中のRNC  IDを抽出して、Target  eNB  IDのeNB  ID中の上述の8個のビット以外の12個のビットを取得する。図7の実施例では、上述の8個のビットは、eNB  IDの低位の8個のビットであり、上述の12個のビットは、eNB  IDの高位の12個のビットであり、これらを合併して20個のビットのeNB  IDを取得し得る。
【００５７】
MMEは、復元されたTarget  eNB  IDの要素を用いて目標eNBをアドレッシングし、そして、目標eNBにHandover  Requestメッセージを送信する。
【００５８】
このように、本発明の実施例では、Target  eNB  IDをCorresponding  RNC  IDに変換することができ、SGSNは、正確に目標MMEをアドレッシングすることができ、目標MMEは、正確に目標eNBをアドレッシングすることができ、これによって、ハンドオーバー要求プロセスの円滑な実行を保証することができる。
【００５９】
図8は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【００６０】
図8の実施例と図7との相違点は、eNB  IDの高位の8個のビットをRACとして充填し、eNB  IDの低位の12個のビットをRNC  IDとして充填することにある。しかし、本発明の実施例は、これに限定されず、事実上では、eNB  IDの任意の8個のビットをRACとして充填し、残りの12個のビットをRNC  IDとして充填しても良い。
【００６１】
図8の実施例では、eNB  IDを企画する時に、eNB  IDの低位の12個のビットの値と、現在のネットワーク中のRNC  IDとを区別する必要があり、これによって、MMEは、Target  RNC  IDが真のRNC  IDであるか、それとも、Corresponding  RNC  IDであるかを区別することができる。或いは、TACを企画する時に、TACと、現在のネットワーク中のLACとを区別する必要があり、これによって、MMEは、Target  RNC  IDが真のRNC  IDであるか、それとも、Corresponding  RNC  IDであるかを区別することができる。
【００６２】
SGSNが目標MMEアドレスをアドレッシングする方法、及び、MMEがTarget  eNB  IDを還元する方法、及び、MMEが目標eNBを見つける方法は、図7の実施例に類似し、上述の充填ルールの逆プロセスに従えばよいので、詳しい説明を省略する。例えば、MMEは、Corresponding  RNC  IDにおけるLAI中のPLMN  IDを抽出して、Target  eNB  IDの第一PLMN  ID又は第二PLMN  IDを取得し、Corresponding  RNC  IDにおけるLAI中のLACを抽出して、Target  eNB  IDのSelected  TAI中のTACを取得し、Corresponding  RNC  ID中のRACを抽出して、Target  eNB  IDのeNB  ID中の8個のビットを取得し、Corresponding  RNC  ID中のRNC  IDを抽出して、Target  eNB  IDのeNB  ID中の上述の8個のビット以外の12個のビットを取得する。図8の実施例では、上述の8個のｐビットは、eNB  IDの高位の8個のビットであり、上述の12個のビットは、eNB  IDの低位の12個のビットであり、これらをが合併して20個のビットのeNB  IDを取得し得る。
【００６３】
このように、本発明の実施例では、Target  eNB  IDをCorresponding  RNC  IDに変換することができ、SGSNは、正確に目標MMEをアドレッシングすることができ、目標MMEは、正確に標eNBをアドレッシングすることができる。よって、ハンドオーバー要求プロセスの円滑な実行を保証することができる。
【００６４】
図9は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【００６５】
図9の実施例と図7との相違点は、拡張RNC  IDを用いることにある。具体的には、eNB  ID中の高位の12個のビット以外に1〜4個のビットを追加し、Corresponding  RNC  ID中の拡張RNC−IDとして充填する。
【００６６】
変換時に、1〜4個のビットを追加する必要があり、追加のビット数（1〜4)は、拡張RNC  IDの長さによって確定する。この幾つかのビットは、特定の値に設定してもよく、これによって、現在のネットワーク中のExtended  RNC−IDとは区別できるようになる。或いは、eNB  IDを企画する時に、eNB  ID、又は、eNB  IDと追加ビットとの組み合わせと、現在のネットワーク中のExtended  RNC−IDとを区別する必要がある。或いは、TACを企画する時に、TACと、現在のネットワーク中のLACとを区別する必要がある。これによって、MMEは、Target  RNC  IDが真のRNC  IDであるか、それとも、Corresponding  RNC  IDであるかを区別することができる。
【００６７】
また、図9の例では、1〜4個のビットをeNB  IDの12個のビットの後に追加したが、本発明の実施例は、これに限定されず、この12個のビットの前に1〜4個のビットを追加してもよく、又は、この12個のビットの前、後又は間の任意の位置に、集中して又は分散して1〜4個のビットを追加してもよい。
【００６８】
SGSNは、Relocation  Requiredメッセージを受信した後に、メッセージ中のTarget  IDに基いて目標MMEのIPアドレスを見つけ、そして、ハンドオーバー要求をForward  Relocation  Requestにより目標MMEにフォワードする。SGSNがMME  IPアドレスをルックアップする時に、rnc<RNC>.mnc<MNC>.mcc<MCC>.gprs又はrac<RAC>.lac<LAC>.mnc<MNC>.mcc<MCC>.gprsドメイン名の方式でアドレッシングを行い、ここでのRNCは、RNC  ID又はExtended  RNC−IDであってもよい。値が特定の値にされる幾つかのビットをもExtended  RNC−IDに変換しているので、変換後のExtended  RNC−IDは、現在のネットワーク中のExtend  RNC  IDとは区別でき、又は、TAC又はeNB  IDを企画する時に、それを、現在のネットワークのLAC又はExtended  RNC−IDと区別させているので、SGSNが上述の２種類の方式のうちの１つでMME  IPをアドレッシングするプロセスは、この種の方式でのSGSN  IPアドレスのルックアップとは衝突することがない。
【００６９】
SGSNが目標MMEアドレスをアドレッシングする方法、及び、MMEがTarget  eNB  IDを還元する方法、及び、MMEが目標eNBを見つける方法は、図7の実施例に類似し、上述の充填ルールの逆プロセスに従えばよいので、詳しい説明を省略する。例えば、MMEは、Corresponding  RNC  IDにおけるLAI中のPLMN  IDを抽出して、Target  eNB  IDの第一PLMN  ID又は第二PLMN  IDを取得し、Corresponding  RNC  IDにおけるLAI中のLACを抽出して、Target  eNB  IDのSelected  TAI中のTACを取得し、Corresponding  RNC  ID中のRACを抽出して、Target  eNB  IDのeNB  ID中の8個のビットを取得し、Corresponding  RNC  ID中の拡張RNC  IDを抽出して、Target  eNB  IDのeNB  ID中の上述の8個のビット以外の12個のビットを取得する(この時に、RNCで追加の1〜4ビットをマイナス（減算）する必要がある）。図9の実施例では、上述の8個のビットは、eNB  IDの低位の8個のビットであり、上述の12個のビットは、eNB  IDの高位の12個のビットであり、これらを合併して20個のビットのeNB  IDを取得し得る。
【００７０】
このように、本発明の実施例では、Target  eNB  IDをCorresponding  RNC  IDに変換することができ、SGSNは、正確に目標MMEをアドレッシングすることができ、目標MMEは、正確にeNBをアドレッシングすることができ、これによって、ハンドオーバー要求プロセスの円滑な実行を保証することができる。
【００７１】
図10は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【００７２】
図10の実施例と、図9との相違点は、eNB  IDの高位の8個のビットをRACとして充填し、eNB  IDの低位の12個のビットに1〜4個のビットを追加して拡張RNC  IDとして充填することにある。しかし、本発明の実施例は、これに限定されず、事実上では、eNB  IDの任意の8個のビットをRACとして充填し、残りの12個のビットに1〜4個のビットを追加した後に拡張RNC  IDとして充填しても良い。
【００７３】
変換時に、1〜4個のビットを追加する必要があり、この幾つかのビットは、特定の値に設定してもよく、これによって、現在のネットワーク中のExtended  RNC−IDとは区別することができる。或いは、eNB  IDを企画する時に、eNB  ID、又は、eNB  IDと追加ビットとの組み合わせと、現在のネットワーク中のExtended  RNC−IDとを区別する必要がある。或いは、TACを企画する時に、TACと、現在のネットワーク中のLACとを区別する必要がある。これは、MMEは、Target  RNC  IDが真のRNC  IDであるか、それとも、Corresponding  RNC  IDであるかを区別することができるためである。
【００７４】
SGSNが目標MMEアドレスをアドレッシングする方法、及び、MMEがTarget  eNB  IDを還元する方法、及び、MMEが目標eNBをルックアップする方法は、図7の実施例に類似し、上述の充填ルールの逆プロセスに従えばよいので、詳しい説明を省略する。例えば、MMEは、Corresponding  RNC  IDにおけるLAI中のPLMN  IDを抽出して、Target  eNB  IDの第一PLMN  ID又は第二PLMN  IDを取得し、Corresponding  RNC  IDにおけるLAI中のLACを抽出して、Target  eNB  IDのSelected  TAI中のTACを取得し、Corresponding  RNC  ID中のRACを抽出して、Target  eNB  IDのeNB  ID中の8個のビットを取得し、Corresponding  RNC  ID中の拡張RNC  IDを抽出して、Target  eNB  IDのeNB  ID中の上述の8個のビット以外の12個のビットを取得する(この時に、RNCで追加の1〜4ビットをマイナスする必要がある）。図9の実施例では、上述の8個のビットは、eNB  IDの高位の8個のビットであり、上述の12個のビットは、eNB  IDの低位の12個のビットであり、これらを合併して20個のビットのeNB  IDを取得し得る。
【００７５】
図11は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【００７６】
図11の実施例と、図7、図8との相違点は、図11中のeNB  IDの8個のビット(高位の8個のビット、低位の8個のビット、又は他の任意の8個のビット）をLACの第２個のバイトに充填し、Selected  TAI中のTACをLACの第１個のバイト及びRACとして充填することにある。
【００７７】
具体的には、RNCは、UMTS-LTEの異なるシステムのハンドオーバーを発起する時に、まず、SGSNがTarget  eNB  IDを識別することができるかどうかを確定する。例えば、Iuインターフェース交互情報中の予め設定された情報エレメント、例えば、RAB  ASSIGNMENT  REQUEST又はCOMMON  IDメッセージにより指示してもよいが、これに限定されず、又は、RNCは、バックグランドで構成されたSGSN情報に基いて確定しても良い。SGSNがTarget  eNB  IDを識別することができなければ、次のようなルールに従って、ステップ301中の変換処理を行ってもよい。
【００７８】
選択されたPLMN  IDをCorresponding  RNC  IDにおけるLAI中のPLMN  IDとして充填し;
Selected  TAI中のTACをCorresponding  RNC  IDにおけるLAI中のLACの第１個のバイト及びRACとして充填し;
eNB  ID中の8個のビットをCorresponding  RNC  IDにおけるLAI中のLACの第２個のバイトとして充填し；
eNB  ID中の上述の8個のビット以外の12個のビットをCorresponding  RNC  ID中のRNC  IDとして充填する。
【００７９】
eNB  IDを企画する時に、RNC  IDとマッピングされたeNB  IDの12ビットと、現在のネットワーク中のRNC  IDとを区別する必要があり、又は、TACを企画する時に、TACと、現在のネットワーク中のRAC又はLACとを区別する必要があり、これは、MMEは、Target  RNC  IDが真のRNC  IDであるか、それとも、Corresponding  RNC  IDであるかを区別することができるためである。
【００８０】
SGSNが目標MMEアドレスをアドレッシングする方法、及び、MMEがTarget  eNB  IDを還元する方法、及び、MMEが目標eNBを見つける方法は、図7の実施例に類似し、上述の充填ルールの逆プロセスに従えればよいので、詳しい説明を省略する。例えば、MMEは、Corresponding  RNC  IDにおけるLAI中のPLMN  IDを抽出して、Target  eNB  IDの第一PLMN  ID又は第二PLMN  IDを取得し、Corresponding  RNC  IDにおけるLAI中のLACの１つのバイト及びRACを抽出して、Target  eNB  IDのSelected  TAI中のTACを取得し、Corresponding  RNC  IDにおけるLAI中のLACの他の１つのバイトを抽出して、Target  eNB  IDのeNB  ID中の8個のビットを取得し、Corresponding  RNC  ID中のRNC  IDを抽出して、Target  eNB  IDのeNB  ID中の上述の8個のビット以外の12個のビットを取得する。図9の実施例では、上述の8個のビットは、eNB  IDの任意の8個のビットであり、上述の12個のビットは、eNB  IDの残りの12個のビットであり、これらを合併して20個のビットのeNB  IDを取得し得る。上述のLACの１つのバイトは、第１個のバイトである。
【００８１】
図12は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【００８２】
図12の実施例と図11との相違点は、図12中のeNB  IDの8個のビット（高位の8個のビット、低位の8個のビット、又は他の任意の8個のビット）の位置が前へ１つのバイト移動し、LACの第１個のバイトに充填し、Selected  TAI中のTACをLACの第２個のバイト及びRACとして充填することにある。
【００８３】
具体的には、RNCは、UMTS-LTEの異なるシステムのハンドオーバーを発起する時に、まず、SGSNがTarget  eNB  IDを識別できるかどうかを確定する。例えば、Iuインターフェース交互情報中の予め設定された、例えば、RAB  ASSIGNMENT  REQUEST又はCOMMON  IDメッセージにより指示してもよいが、これに限定されず、又は、RNCは、バックグランドで構成されたSGSN情報に基いて確定してもよい。SGSNがTarget  eNB  IDを識別できなければ、次のようなルールに従って、ステップ301中の変換処理を行っても良い。
【００８４】
選択されたPLMN  IDをCorresponding  RNC  IDにおけるLAI中のPLMN  IDとして充填し;
Selected  TAI中のTACをCorresponding  RNC  IDｍにおけるLAI中のLACの第２個のバイト及びRACとして充填し;
eNB  ID中の8個のビットをCorresponding  RNC  IDにおけるLAI中のLACの第１個のバイトとして充填し；
eNB  ID中の上述の8個のビット以外の12個のビットをCorresponding  RNC  ID中のRNC  IDとして充填する。
【００８５】
eNB  IDを企画する時に、RNC  IDとマッピングされたeNB  IDの12ビットと、現在のネットワーク中のRNC  IDとを区別する必要があり、又は、TACを企画する時に、TACと、現在のネットワーク中のRAC又はLACとを区別する必要があり、これは、MMEは、Target  RNC  IDが真のRNC  IDであるか、それとも、Corresponding  RNC  IDであるかを区別することができるためである。
【００８６】
SGSNが目標MMEアドレスをアドレッシングする方法、及び、MMEがTarget  eNB  IDを還元する方法、及び、MMEが目標eNBを見つける方法は、図7の実施例に類似し、上述の充填ルールの逆プロセスに従えばよいので、詳しい説明を省略する。例えば、MMEは、Corresponding  RNC  IDにおけるLAI中のPLMN  IDを抽出して、Target  eNB  IDの第一PLMN  ID又は第二PLMN  IDを取得し、Corresponding  RNC  IDにおけるLAI中のLACの１つのバイト及びRACをを抽出して、Target  eNB  IDのSelected  TAI中のTACを取得し、Corresponding  RNC  IDにおけるLAI中のLACの他の１つのバイトを抽出して、Target  eNB  IDのeNB  ID中の8個のビットを取得し、Corresponding  RNC  ID中のRNC  IDを抽出して、Target  eNB  IDのeNB  ID中の上述の8個のビット以外の12個のビットを取得する。図１２の実施例では、上述の8個のビットは、eNB  IDの任意の8個のビットであり、上述の12個のビットは、eNB  IDの残りの12個のビットであり、これらを合併して20個のビットのeNB  IDを取得し得る。上述のLACの１つのバイトは、第２個のバイトである。
【００８７】
図13は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【００８８】
図13の実施例では、選択されたPLMN  ID、eNB  ID、及びTACを順にCorresponding  RNC  IDに充填した。本発明の実施例では、この３個の要素の充填順序について限定しない。図7の実施例では、充填順序は、PLMN  ID、TAC、eNB  IDである。図13の実施例では、充填順序は、PLMN  ID、eNB  ID、TACである。
【００８９】
eNB  IDを企画する時に、eNB  IDと、現在のネットワーク中のLAC又はRACとを区別する必要があり、又は、TACを企画する時に、それと、現在のネットワーク中のRNC  ID又はRACとを区別する必要があり、これは、MMEは、Target  RNC  IDが真のRNC  IDであるか、それとも、Corresponding  RNC  IDであるかを区別することができるためである。
【００９０】
SGSNが目標MMEアドレスをアドレッシングする方法、及び、MMEがTarget  eNB  IDを還元する方法、及び、MMEが目標eNBを見つける方法は、図7の実施例に類似し、上述の充填ルールの逆プロセスに従えばよいので、詳しい説明を省略する。例えば、MMEは、順に第一PLMN  ID又は第二PLMN  ID、eNB  ID及びTACを抽出しても良い。ここでは、MMEが各要素を抽出する順序は、充填順序によって変わっても良い。
【００９１】
図14は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【００９２】
図14の実施例と図13との相違点は、要素の充填順序がeNB  ID、PLMN  ID、TACであることにある。
【００９３】
TACを企画する時に、TACと、現在のネットワーク中のRNC  ID又はRACとを区別する必要がある。SGSNが目標MMEアドレスをアドレッシングする方法、及び、MMEがTarget  eNB  IDを還元する方法、及び、MMEが目標eNBを見つける方法は、図7の実施例に類似し、上述の充填ルールの逆プロセスに従えればよいので、詳しい説明を省略する。例えば、MMEは、順に第一PLMN  ID又は第二PLMN  ID、eNB  ID及びTACを抽出して取得してもい。ここで、MMEが各要素を抽出する順序は、充填順序によって変わってもよい。
【００９４】
なお、上述の図11〜図14の実施例では、図9及び図10の実施例に類似し、拡張RNC−IDを利用して充填を行ってもよい。充填時に、ビットを追加する必要があれば、追加されたビットは、その対応する要素の前、後又は間の任意の位置に充填しても良い。これらの変化は、全て、本発明の実施例の範囲内に属する。
【００９５】
図15は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【００９６】
図15の実施例では、長さが2個のバイト（16ビット）である拡張RNC−IDを用いた。SGSNがTarget  eNB  IDを認識することができなければ、次のようなルールに従って、ステップ301中の変換処理を行っても良い。
【００９７】
eNB  IDに4個のビットを追加し、Corresponding  RNC  IDにおけるLAI中のPLMN  IDとして充填し;
選択されたPLMN  IDをCorresponding  RNC  IDにおけるLAI中のLAC及びRACとして充填し;
Selected  TAI中のTACをCorresponding  RNC  ID中の拡張RNC−IDとして充填する。
【００９８】
図15に示すのは、4個のビットをeNB  IDの後に追加した例であるが、本発明の実施例は、これに限定されず、4個のビットをeNB  IDの前に追加してもよく、又は、eNB  IDの他の任意の位置に集中して又は分散して4個のビットを追加してもよい。
【００９９】
TACを企画する時に、それと、現在のネットワーク中のExtended  RNC−IDとを区別する必要がある。
【０１００】
SGSNが目標MMEアドレスをアドレッシングする方法、及び、MMEがTarget  eNB  IDを還元する方法、及び、MMEが目標eNBを見つける方法は、図7の実施例に類似し、上述の充填ルールの逆プロセスに従えればよいので、詳しい説明を省略する。例えば、MMEは、Corresponding  RNC  IDにおけるLAI中のPLMN  IDを抽出して、Target  eNB  IDのeNB  IDを取得し、Corresponding  RNC  IDにおけるLAI中のLAC及びRACを抽出して、Target  eNB  IDを取得し、Corresponding  RNC  ID中の拡張RNC  IDを抽出して、Target  eNB  IDのSelected  TAI中のTACを取得する。
【０１０１】
図16は、本発明の１つの実施例による標識変換の例を示す図である。図に示すように、左側は、変換後のCorresponding  RNC  ID中の対応するデータ要素であり、右側は、実際のTarget  eNB  ID中の対応するデータ要素である。
【０１０２】
図16と図15との相違点は、eNB  ID及びPLMN  IDの充填順序を変えることにある。具体的には、SGSNがTarget  eNB  IDを認識することができなければ、次のようなルールに従って、ステップ301中の変換処理を行っても良い。
【０１０３】
選択されたPLMN  IDをCorresponding  RNC  IDにおけるLAI中のPLMN  IDとして充填し;
eNB  IDに4個のビットを追加し、Corresponding  RNC  IDにおけるLAI中のLAC及びRACとして充填し;
Selected  TAI中のTACをCorresponding  RNC  ID中の拡張RNC−IDとして充填する。
【０１０４】
図16に示すのは、4個のビットをeNB  IDに後に追加した例であるが、本発明の実施例は、これに限定されず、4個のビットをeNB  IDの前に追加してもよく、又は、eNB  IDの他の任意の位置に集中して又は分散して4個のビットを追加してもよい。
【０１０５】
追加された4個のビットの値を特定の値に設置することで、変換後のLAC及びRACと、現在のネットワークのLAC及びRACとを区別することができる。或いは、TACを企画する時に、それと、現在のネットワーク中のExtended  RNC−IDとを区別する必要がある。
【０１０６】
SGSNが目標MMEアドレスをアドレッシングする方法、及び、MMEがTarget  eNB  IDを還元する方法、及び、MMEが目標eNBを見つける方法は、図7の実施例に類似し、上述の充填ルールの逆プロセスに従えばよいので、詳しい説明を省略する。例えば、MMEは、Corresponding  RNC  IDにおけるLAI中のPLMN  IDを抽出して、Target  eNB  IDの第一PLMN  ID又は第二PLMN  IDを取得し、Corresponding  RNC  IDにおけるLAI中のLAC及びRACを抽出して、Target  eNB  IDのeNB  IDを取得し、Corresponding  RNC  ID中の拡張RNC  IDを抽出して、Target  eNB  IDのSelected  TAI中のTACを取得する。
【０１０７】
以上、具体例を参照しながら本発明の一部の実施例を説明した。しかし、本発明は、これらの具体例に限定されず、選択されたPLMN  ID、eNB  ID及びTACをCorresponding  RNC  IDに充填すればよい。また、MMEでは、この充填の逆プロセスに従って、Target  eNB  IDの各要素を復元することができる。
【０１０８】
よって、本発明の実施例により、RNCは、Target  eNB  IDをCorresponding  RNC  IDに成功裏に変換することができ、よって、ネットワーク中の、SGSNがTarget  eNB  IDを認識できないことによる、RNCがUEをUMTSネットワークからLTEネットワークへハンドオーバーできないという問題を有効に解決することができる。
【０１０９】
図17は、本発明の１つの実施例における無線ネットワークコントローラを示すブロック図である。図17の無線ネットワークコントローラ170は、変換ユニット171及び送信ユニット172を含む。
【０１１０】
変換ユニット171は、SGSNがTarget  eNB  IDを認識できない時に、Target  eNB  IDをCorresponding  RNC  IDに変換する。送信ユニット172は、SGSNに再配置要求メッセージを送信し、そのうち、再配置要求メッセージは、Corresponding  RNC  IDを携帯する。
【０１１１】
変換ユニット171は、選択モジュール175及び充填モジュール176を含む。選択モジュール175は、Target  eNB  IDに含まれる第一PLMN  ID及び第二PLMN  IDのうちの一つを選択する。充填モジュール176は、選択されたPLMN  ID、Target  eNB  IDに含まれるeNB  ID、及び、Selected  TAI中のTACをCorresponding  RNC  IDに充填する。
【０１１２】
本発明の実施例は、Target  eNB  IDを変換する時に、Target  eNB  ID中の１つのPLMN  IDを捨て、これによって、変換する必要があるビット数は、Corresponding  RNC  IDに格納することができる。よって、Target  eNB  ID及びCorresponding  RNC  IDの間の変換を実現することができる。
【０１１３】
無線ネットワークコントローラ170の各部分は、図3、図7〜図16に示す各実施例を実行することができ、重複記載を避けるために、詳しい説明を省略する。
【０１１４】
オプションで、１つの実施例では、上述の第一PLMN  IDは、Target  eNB  IDの前の３個バイトに対応し、第二PLMN  IDは、Target  eNB  IDに含まれるSelected  TAI中のPLMN  IDである。選択モジュール175は、第一PLMN  ID及び第二PLMN  IDが同じである時に、第一PLMN  ID又は第二PLMN  IDを、選択されたPLMN  IDとして選択し、また、第一PLMN  ID及び第二PLMN  IDが異なる時に、ハンドオーバー要求を正確にサービングネットワークのコアネットワーク設備MMEに送信するために、第二PLMN  IDを、選択されたPLMN  IDとして選択する。なお、第一PLMN  ID及び第二PLMN  IDの定義は、図2に示すようである。
【０１１５】
オプションで、他の１つの実施例では、図7〜図10を参照するに、充填モジュール176は、選択されたPLMN  IDをCorresponding  RNC  IDにおけるLAI中のPLMN  IDとして充填し、Selected  TAI中のTACをCorresponding  RNC  IDにおけるLAI中のLAC値として充填し、eNB  ID中の8個のビットをCorresponding  RNC  ID中のRACとして充填し、且つ、eNB  ID中の上述の8個のビット以外の12個のビットをCorresponding  RNC  ID中のRNC  IDとして充填し、又は、eNB  ID中の上述の8個のビット以外の12個のビットに1〜4個のビットを追加してCorresponding  RNC  ID中の拡張RNC  IDとして充填する。
【０１１６】
オプションで、他の１つの実施例では、図11〜図12を参照するに、充填モジュール176は、選択されたPLMN  IDをCorresponding  RNC  IDにおけるLAI中のPLMN  IDとして充填し、Selected  TAI中のTACをCorresponding  RNC  IDにおけるLAI中のLACの１つのバイト及びRACとして充填し、eNB  ID中の8個のビットをCorresponding  RNC  IDにおけるLAI中のLACの他の１つのバイトとして充填し、且つ、eNB  ID中の上述の8個のビット以外の12個のビットをCorresponding  RNC  ID中のRNC  IDとして充填し、又は、eNB  ID中の上述の8個のビット以外の12個のビットに1〜4個のビットを追加して、Corresponding  RNC  ID中の拡張RNC  IDとして充填する。
【０１１７】
ここで、上述のeNB  ID中の8個のビットは、eNB  ID中の高位の8個のビット、低位の8個のビット、又は、他の任意の8個のビットであってよい。
【０１１８】
ビットを追加する必要がある時に、上述の12個のビットの前、後又は間の任意の位置に集中して又は分散して1〜4個のビットを追加してもよい。
【０１１９】
LAI中のLACの上述の１つのバイトは、LACの第１個のバイト又は第２個のバイトであり、それ相応に、LACの他のつのバイトは、第２個のバイト又は第１個のバイトである。又は、LACの上述の１つのバイトは、LACの任意の8個のビットであってもよく、他の１つのバイトは、残りの8個のビットであってもよい。
【０１２０】
オプションで、他の１つの実施例では、図13−図14を参照するに、充填モジュール176は、選択されたPLMN  ID、eNB  ID及びTACを順にCorresponding  RNC  IDに充填する。
【０１２１】
ここで、充填モジュール176は、任意の順で、上述の３個の要素を充填することができる。
【０１２２】
オプションで、他の１つの実施例では、図15を参照するに、充填モジュール176は、eNB  IDに4個のビットを追加してCorresponding  RNC  IDにおけるLAI中のPLMN  IDとして充填し、選択されたPLMN  IDをCorresponding  RNC  IDにおけるLAI中のLAC及びRACとして充填し、Selected  TAI中のTACをCorresponding  RNC  ID中の拡張RNC  IDとして充填する。
【０１２３】
オプションで、他の１つの実施例では、図16を参照するに、充填モジュール176は、選択されたPLMN  IDをCorresponding  RNC  IDにおけるLAI中のPLMN  IDとして充填し、eNB  IDに4個のビットを追加してCorresponding  RNC  IDにおけるLAI中のLAC及びRACとして充填し、Selected  TAI中のTACをCorresponding  RNC  ID中の拡張RNC  IDとして充填する。
【０１２４】
ここで、eNB  IDに4個のビットを追加する時に、eNB  IDの前、後又は間に集中して又は分散して4個のビットを追加しても良い。
【０１２５】
本発明の実施例における無線ネットワークコントローラ170は、Target  eNB  IDを変換する時に、Target  eNB  ID中の１つのPLMN  IDを捨て、これによって、変換する必要があるビット数は、Corresponding  RNC  IDに格納することができる。よって、Target  eNB  ID及びCorresponding  RNC  IDの間の変換を実現することができる。
【０１２６】
図18は、本発明の実施例におけるSGSN設備を示すブロック図である。図18のSGSN設備180は、受信ユニット181及び要求ユニット182を含む。
【０１２７】
受信ユニット181は、無線ネットワークコントローラが送信した再配置要求メッセージを受信し、そのうち、再配置要求メッセージは、Corresponding  RNC  IDを携帯し、Corresponding  RNC  IDは、Target  eNB  IDから変換されたものであり、且つ、選択されたPLMN  ID、Target  eNB  IDに含まれるeNB  ID、及び、Target  eNB  IDに含まれるSelected  TAI中のTACを携帯し、そのうち、上述の選択されたPLMN  IDは、Target  eNB  IDに含まれる第一PLMN  ID及び第二PLMN  IDのうちの一つである。
【０１２８】
要求ユニット182は、Corresponding  RNC  IDに基いて目標MMEをアドレッシングし、アドレッシングした目標MMEにフォワード再配置要求メッセージを送信し、該フォワード再配置要求メッセージ中の目標標識Target  IDは、Corresponding  RNC  IDの情報を啓携帯する。
【０１２９】
よって、本発明の実施例は、Target  eNB  IDを変換する時に、Target  eNB  ID中の１つのPLMN  IDを捨て、これによって、変換する必要があるビット数は、Corresponding  RNC  IDに格納することができる。よって、Target  eNB  ID及びCorresponding  RNC  IDの間の変換を実現することができる。
【０１３０】
同時に、SGSNは、Corresponding  RNC  IDに基いて、対応する目標MMEをアドレッシングすることができ、フォワード再配置要求メッセージの送信を完成させることができる。フォワード再配置要求中のTarget  IDは、上述のCorresponding  RNC  IDの内容とは一致し、よって、MMEは、Corresponding  RNC  IDを認識することができ、ハンドオーバープロセスの円滑な実行を保証することができる。
【０１３１】
例えば、上述の第一PLMN  IDは、Target  eNB  IDの前の３個バイトに対応し、第二PLMN  IDは、Selected  TAI中のPLMN  IDである。この２個のPLMN  IDは同じであってもよく、異なっても良い。第一PLMN  ID及び第二PLMN  IDが同じである時に、上述の選択されたPLMN  IDは、第一PLMN  ID又は第二PLMN  IDであり、第一PLMN  ID及び第二PLMN  IDが異なる時に、ハンドオーバー要求を正確にサービングネットワークのコアネットワーク設備MMEに送信するために、上述の選択されたPLMN  IDは、第二PLMN  IDであってもよい。
【０１３２】
図19は、本発明の実施例におけるMME設備を示すブロック図である。図19のMME設備190は、受信ユニット191、確定ユニット192、復元ユニット193、及び要求ユニット194を含む。
【０１３３】
受信ユニット191は、SGSNが送信したフォワード再配置要求メッセージを受信する。確定ユニット192は、フォワード再配置要求メッセージ中のTarget  IDがCorresponding  RNC  IDであるかどうかを確定し、Corresponding  RNC  IDは、Target  eNB  IDから変換されたものであり、且つ、選択されたPLMN  ID、Target  eNB  IDに含まれるeNB  ID、及び、Target  eNB  IDに含まれるSelected  TAI中のTACを携帯し、そのうち、上述の選択されたPLMN  IDは、Target  eNB  IDに含まれる第一PLMN  ID及び第二PLMN  IDのうちの一つである。
【０１３４】
復元ユニット193は、Target  IDがCorresponding  RNC  IDであると確定した時に、Corresponding  RNC  IDに基いて復元のTarget  eNB  IDを取得する。要求ユニット194は、復元のTarget  eNB  IDに基いて目標eNBをアドレッシングし、アドレッシングした目標eNBにハンドオーバー要求メッセージを送信する。
【０１３５】
よって、本発明の実施例は、Target  eNB  IDを変換する時に、Target  eNB  ID中の１つのPLMN  IDを捨て、これによって、変換する必要があるビット数は、Corresponding  RNC  IDに格納することができる。よって、Target  eNB  ID及びCorresponding  RNC  IDの間の変換を実現することができる。
【０１３６】
同時に、MMEは、該Corresponding  RNC  IDを識別することができ、Corresponding  RNC  IDからTarget  eNB  IDの各要素を復元することができ、また、Corresponding  RNC  IDに基いて、対応する目標eNBをアドレッシングし、ハンドオーバー要求メッセージの送信を完成させることができ、これによって、ハンドオーバープロセスの円滑な実行を保証することができる。
【０１３７】
復元ユニット193が復元のTarget  eNB  IDの各要素を得るためのプロセスは、図17中の充填モジュール176の充填処理の逆プロセスであり、よって、重複説明を省略する。
【０１３８】
例えば、上述第一PLMN  IDはTarget  eNB  IDの前の３個のバイトに対応し、第二PLMN  IDは、Selected  TAI中のPLMN  IDである。この２個のPLMN  IDは同じであってもよく、異なっても良い。第一PLMN  ID及び第二PLMN  IDが同じである時に、上述の選択されたPLMN  IDは、第一PLMN  ID又は第二PLMN  IDであり、第一PLMN  ID及び第二PLMN  IDが異なる時に、ハンドオーバー要求を正確にサービングネットワークのコアネットワーク設備MMEに送信するために、上述の選択されたPLMN  IDは、第二PLMN  IDであっても良い。
【０１３９】
オプションで、１つの実施例では、確定ユニット192は、Target  ID中の、TACにタイ対応するビット、又は、eNB  IDに対応するビット及び/又は追加の1〜4ビットに基いて、Target  IDがCorresponding  RNC  IDであるかどうかを確定する。これは、TAC又はeNB  IDを企画する時に、その値と、Target  RNC  ID中の対応するビットが代表する要素（例えば、PLMN  ID、LAC、RAC、RNC  ID又は拡張RNC  ID)の値とを区別することを要し、これによって、MMEは、Target  RNC  IDがCorresponding  RNC  IDであるか、それとも、真のRNC  IDであるかを区別することができる。
【０１４０】
オプションで、他の１つの実施例では、復元ユニット193は、Corresponding  RNC  IDにおけるLAI中のPLMN  IDを抽出して、Target  eNB  IDの第一PLMN  ID又は第二PLMN  IDを取得し、Corresponding  RNC  IDにおけるLAI中のLACを抽出して、Target  eNB  IDのSelected  TAI中のTACを取得し、Corresponding  RNC  ID中のRACを抽出して、Target  eNB  IDのeNB  ID中の8個のビットを取得し、Corresponding  RNC  ID中の無線ネットワークコントローラ標識RNC  IDを抽出して、又は、Corresponding  RNC  ID中の拡張RNC−IDを抽出して、Target  eNB  IDのeNB  ID中の8個のビット以外の12個のビットを取得する。
【０１４１】
オプションで、他の１つの実施例では、復元ユニット193は、Corresponding  RNC  IDにおけるLAI中のPLMN  IDを抽出して、Target  eNB  IDの第一PLMN  ID又は第二PLMN  IDを取得し、Selected  TAI中のTACをCorresponding  RNC  IDにおけるLAI中のLACの１つのバイト及びRACとして充填んし、Corresponding  RNC  IDにおけるLAI中のLACの他の１つのバイトを抽出して、Target  eNB  IDのeNB  ID中の8個のビットを取得し、Corresponding  RNC  ID中のRNC  ID、又は、Corresponding  RNC  ID中の拡張RNC−IDを抽出して、Target  eNB  IDのeNB  ID中の8個のビット以外の12個のビットを取得する。
【０１４２】
オプションで、他の１つの実施例では、復元ユニット193は、順に第一PLMN  ID又は第二PLMN  ID、eNB  ID及びTACを抽出して取得する。
【０１４３】
オプションで、他の１つの実施例では、復元ユニット193は、Corresponding  RNC  ID中のLAI中のPLMN  IDを抽出して、Target  eNB  IDのeNB  IDを取得し、Corresponding  RNC  ID中のLAI中のLAC及びRACを抽出して、Target  eNB  IDを取得し、Corresponding  RNC  ID中の拡張RNC  IDを抽出して、Target  eNB  IDのSelected  TAI中のTACを取得する。
【０１４４】
オプションで、他の１つの実施例では、復元ユニット193は、Corresponding  RNC  IDにおけるLAI中のPLMN  IDを抽出して、Target  eNB  IDの第一PLMN  ID又は第二PLMN  IDを取得し、Corresponding  RNC  IDにおけるLAI中のLAC及びRACを抽出して、Target  eNB  IDのeNB  IDを取得し、Corresponding  RNC  ID中の拡張RNC  IDを抽出して、Target  eNB  IDのSelected  TAI中のTACを取得する。
【０１４５】
本発明の実施例による通信システムは、上述の無線ネットワークコントローラ170、SGSN設備180又はMME設備190を含んでも良い。
【０１４６】
当業者が理解すべきは、本文に開示の実施例に記載の各例のユニット及びステップは、電子ハードウェア、又は、コンピュータソフトウェアと電子ハードウェアとの組みわせにより実現することができるとのことである。なお、これらの機能をハードウェア又はソフトウェアの方式で実行すべきかは、技術案の特定の応用及び設計の制約条件によるものである。当業者は、各特定の応用について、異なる方法を採用して記載された機能を実現してもよいが、このような実現も本発明の範囲に属する。
【０１４７】
また、当業者が理解すべきは、便宜のため、上述のシステム、装置及びユニットの具体的なワーキングプロセスは、上述の方法の実施例中の対応するプロセスを参照することができるので、ここでは、詳しい説明を省略する。
【０１４８】
本願に提供される幾つかの実施例では、理解すべきは、開示のシステム、装置及び方法は、他の方式で実現することもできるとのことである。例えば、上述の装置の実施例は、例示的なものだけであり、例えば、上述のユニットの区分は、論理的機能区分のみであり、実際に実現する時に、他の区分方式を採用してもよく、例えば、複数のユニット又は部品は、組み合わせることができ、又は、他のシステムに集積することができ、又は、幾つかの特徴は、無視してもよく、又は、実行しなくてもよい。また、示された又は議論された互いの間の結合又は直接結合又は通信接続は、幾つかのインターフェース、装置又はユニットの間接結合又は通信接続であっても良く、電気的、機械的又は他の形式であっても良い。
【０１４９】
上述の分離する部品として説明されたユニットは、物理的に分離したものであっても良くでなくてもよく、ユニットとして示された部品は、物理ユニットであっても良くでなくても良く、即ち、１つの箇所に位置しても良く、又は、複数のネットワークユニットに分布しても良い。また、実際のニーズに応じて、その中の一部又は全部のユニットを選択して本実施例の技術案の目的を実現することもできる。
【０１５０】
また、本発明の各実施例における各機能ユニットは、１つの処理ユニットに集積してもよく、各ユニットは、単独で物理的に存在しても良く、又は、二つ又は二つ以上のユニットは、１つのユニットに集積しても良い。
【０１５１】
上述の機能は、ソフトウェアによる機能ユニットの形式で実現し、また、独立した製品として販売又は使用する時に、予めコンピュータ読み取り可能な記憶媒体に記憶しても良い。このような理解に基いて、本発明の技術案は、本質的に、又は、従来技術に対して貢献をもたらした部分又は該技術案の一部は、ソフトウェア製品の形式で具現することができ、このようなコンピュータソフトウェア製品は、記憶媒体に記憶しても良く、また、コンピュータ設備（ＰＣ、サーバ、又はネットワーク設備など）に、本発明の各実施例に記載の方法の全部又は一部のステップを実行させるための若干の命令を含んでも良い。上述の記憶媒体は、Uディスク、移動ハードディスク、ROM（Read-Only  Memory)、RAM、（Random  Access  Memory)、磁気ディスク、又は光ディスクなどの、プログラムコードを記憶することができる各種の媒体を含んでも良い。
【０１５２】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
0005744331.tif 000002
【図２】
0005744331.tif 000003
【図３】
0005744331.tif 000004
【図４】
0005744331.tif 000005
【図５】
0005744331.tif 000006
【図６】
0005744331.tif 000007
【図７】
0005744331.tif 000008
【図８】
0005744331.tif 000009
【図９】
0005744331.tif 000010
【図１０】
0005744331.tif 000011
【図１１】
0005744331.tif 000012
【図１２】
0005744331.tif 000013
【図１３】
0005744331.tif 000014
【図１４】
0005744331.tif 000015
【図１５】
0005744331.tif 000016
【図１６】
0005744331.tif 000017
【図１７】
0005744331.tif 000018
【図１８】
0005744331.tif 000019
【図１９】
0005744331.tif 000020